(57)【要約】【課題】  スライドさせて切断する際に切断刃５３を安定するスライド式卓上切断機の提供。【解決手段】  木材Ｗを支持するベース部２と、ベース部２上に設けられベース部２の上方で切断刃５３を支持する切断部３と、を備え、切断部３は、切断刃５３を回転可能に支持する切断本体部５と、切断本体部５を支持すると共にベース部２上方で切断刃５３の側面方向に切断本体部５をベース部２に対して移動可能とするスライド部６と、スライド部６を支持すると共にベース部２に接続される支持部４と、支持部４に設けられてベース部２上方で木材Ｗを切断可能な切断位置と木材Ｗを切断不能な非切断位置との間で切断刃５３を揺動可能にする揺動軸部４４と、切断刃５３が切断位置に揺動された時に切断刃５３を切断位置に保持する保持機構とを有したスライド式卓上切断機１を提供する。【選択図】図１
2008100356.tif 000002
【特許請求の範囲】
【請求項１】
加工部材を支持するベース部と、
該ベース部上に設けられ該ベース部の上方で切断刃を支持する切断部と、を備え、
該切断部は、切断刃を回転可能に支持する切断本体部と、該切断本体部を支持すると共に該ベース部上方で該切断刃の側面方向に該切断本体部を該ベース部に対して移動可能とするスライド部と、該スライド部を支持すると共に該ベース部に接続される支持部と、該支持部に設けられて該ベース部上方で該加工部材を切断可能な切断位置と該加工部材を切断不能な非切断位置との間で該切断刃を揺動可能にする揺動軸部と、該切断刃が該切断位置に揺動された時に該切断刃を該切断位置に保持する保持機構と、を有していることを特徴とするスライド式卓上切断機。
【請求項２】
該ベース部は、該加工部材が載置される載置面を有し、
該支持部において該揺動軸部と該ベース部との間には、該載置面と同一平面上に位置すると共に該揺動軸部の軸方向と直交する方向に配置された軸を有する傾動軸部が設けられ、該切断刃は該傾動軸部を中心軸として傾動可能であることを特徴とする請求項１に記載のスライド式卓上切断機。
【請求項３】
該ベース部は、設置個所になると共に該加工部材を支持するベースと、該ベース上に担持されて該ベースに対して回動可能なターンテーブルと、を有し、
該切断部は該ターンテーブルに設けられていることを特徴とする請求項１または請求項２のいずれかに記載のスライド式卓上切断機。
【請求項４】
該切断本体部は該切断刃と該切断刃を回転駆動するモータとを有し、
該切断刃と該モータとは該揺動軸部の軸方向と平行に配列され、
該切断本体部において該スライド部との接続箇所は該切断刃と該モータとの間に設けられていることを特徴とする請求項１乃至請求項３のいずれか一に記載のスライド式卓上切断機。
【請求項５】
該スライド部は、該揺動軸部の軸方向と直交する方向に平行に延びる複数の長尺部から構成され、
該支持部に対する該切断本体部の位置規制を行う位置規制部が、該切断本体部と該支持部との少なくともいずれか一方に設けられ、
該複数の長尺部のうち少なくとも一の長尺部は、該位置規制部と係合可能に構成され、
該複数の長尺部のうち他の長尺部は、該一の長尺部より高強度に構成されていることを特徴とする請求項１乃至４のいずれか一に記載のスライド式卓上切断機。
【請求項６】
該複数の長尺部の配列方向は、該側面と平行に構成されていることを特徴とする請求項５に記載のスライド式卓上切断機。
【発明の詳細な説明】
【技術分野】
【０００１】
本発明は卓上切断機に関し、特にスライド式の卓上切断機に関する。
【背景技術】
【０００２】
スライド式卓上切断機のスライド方式としては、被切断部材を載置するベース面と平行に移動するスライド部材に切断刃を設ける方法や、特許文献１に示されるようにベース面と平行に設けられたスライド部材に、切断刃を移動可能に設ける方法が公知となっている。これらのスライド式卓上切断機においては、切断刃がベース面上で揺動可能に配置されており、使用者が切断刃を押し下げて加工部材に当接させて切断作業を行っている。
【特許文献１】特開２００５−２７９９３３号公報
【発明の開示】
【発明が解決しようとする課題】
【０００３】
従来のスライド式卓上切断機で、幅の広い加工部材を切断する場合には、切断刃を押し下げた後にスライド部材により切断刃をスライドさせて切断している。しかし切断刃は揺動可能であるため、スライド時に切断刃の位置が安定しない場合があった。よって一定の揺動角度で切断刃をスライドさせるのが困難であり、特にベース面と平行にスライドさせることが困難であった。そこで、本発明は、スライドさせて切断する際に切断刃を安定させたスライド式卓上切断機を提供することを目的とする。
【課題を解決するための手段】
【０００４】
上記課題を解決するために本発明は、加工部材を支持するベース部と、該ベース部上に設けられ該ベース部の上方で切断刃を支持する切断部と、を備え、該切断部は、切断刃を回転可能に支持する切断本体部と、該切断本体部を支持すると共に該ベース部上方で該切断刃の側面方向に該切断本体部を該ベース部に対して移動可能とするスライド部と、該スライド部を支持すると共に該ベース部に接続される支持部と、該支持部に設けられて該ベース部上方で該加工部材を切断可能な切断位置と該加工部材を切断不能な非切断位置との間で該切断刃を揺動可能にする揺動軸部と、該切断刃が該切断位置に揺動された時に該切断刃を該切断位置に保持する保持機構と、を有しているスライド式卓上切断機を提供する。
【０００５】
このような構成によると、切断刃を切断する位置まで揺動させた際に、その揺動角度で切断刃を固定することができる。よって固定された後は、切断刃が揺動することがないため、切断刃がスライドする方向のみ力を加えることにより加工部材を切断することができる。
【０００６】
また該ベース部は、該加工部材が載置される載置面を有し、該支持部において該揺動軸部と該ベース部との間には、該載置面と同一平面上に位置すると共に該揺動軸部の軸方向と直交する方向に配置された軸を有する傾動軸部が設けられ、該切断刃は該傾動軸部を中心軸として傾動可能であってもよい。
【０００７】
また該ベース部は、設置個所になると共に該加工部材を支持するベースと、該ベース上に担持されて該ベースに対して回動可能なターンテーブルと、を有し、該切断部は該ターンテーブルに設けられていてもよい。
【０００８】
このような構成によると、切断刃を加工部材に多様な角度から当接させることができ、加工部材の切断角度（ベベル角度）の種類の幅を拡げることができる。
【０００９】
また該切断本体部は該切断刃と該切断刃を回転駆動するモータとを有し、該切断刃と該モータとは該揺動軸部の軸方向と平行に配列され、該切断本体部において該スライド部との接続箇所は該切断刃と該モータとの間に設けられていることが好ましい。
【００１０】
このような構成によると、スライド部が切断部の外側から突出することが抑制され、スライド式卓上切断機本体を小型化することができる。またモータと切断刃とは互いに重量物であるため、その中間位置でスライド部と接続することにより、切断本体部の重量バランスを好適にすることができる。
【００１１】
また該スライド部は、該揺動軸部の軸方向と直交する方向に平行に延びる複数の長尺部から構成され、該支持部に対する該切断本体部の位置規制を行う位置規制部が、該切断本体部と該支持部との少なくともいずれか一方に設けられ、該複数の長尺部のうち少なくとも一の長尺部は、該位置規制部と係合可能に構成され、該複数の長尺部のうち他の長尺部は、該一の長尺部より高強度に構成されていることが好ましい。
【００１２】
このような構成によると、一の長尺部を主に位置規制に用い、他の長尺部を主に構造部材として用いることができる。よって一の長尺部においては、過度に高強度が要求されず、軽量な部材を用いることができる。
【００１３】
また該複数の長尺部の配列方向は、該側面と平行に構成されていることが好ましい。このような構成によると、スライド部が切断部本体の外殻から突出することが抑制され、スライド式卓上切断機本体を小型化することができる。
【発明の効果】
【００１４】
本発明のスライド式卓上切断機によれば、スライドさせて加工部材を切断する際に切断刃の揺動に係る位置を安定させることができる。
【発明を実施するための最良の形態】
【００１５】
本発明の実施の形態について、図１乃至図１０に基づき説明する。図１に示される卓上切断機である卓上丸鋸１は、スライド機構を備えた卓上丸鋸であり、ベース部２と、切断部３とから主に構成されている。
【００１６】
ベース部２は、被切断部材である木材Ｗを担持するベース２１と、ベース２１上に回動可能に担持されたターンテーブル２２と、ベース２１に設けられたフェンス２３とから主に構成されている。ベース２１は、図２に示されるように、一対の左ベース２１Ａと右ベース２１Ｂとから構成されている。これら左ベース２１Ａと右ベース２１Ｂとが並んでいる方向を左右方向と定義し、ベース２１の木材Ｗ（図１）を載置する面の上方を上方、反対を下方と定義する。
【００１７】
図２に示されるように、ターンテーブル２２は、右ベース２１Ｂと左ベース２１Ａとの間に配置されている。ターンテーブル２２は、略円台状のターンテーブル本体部２２Ａとターンテーブル本体部２２Ａの一方側に突出する突出部２４と他方側に設けられた後述の支持部４を支持する切断部支持部２７とから構成されている。この突出部２４がターンテーブルより突出している方向であって左右方向と直交する方向を前方、反対を後方と定義する。
【００１８】
また、ターンテーブル２２の上面には、切断部支持部２７近傍位置から突出部２４にかけて一連の図示せぬ溝部が形成されている。この図示せぬ溝部は、後述の切断刃５３が下方に揺動してターンテーブル２２と交わった際の交線位置と同一位置にあり切断刃５３の刃先を収容する箇所となっている。
【００１９】
図１及び図２に示されるように、突出部２４には、ターンテーブル２２のベース２１に対する回動を規制する際の操作部となる規制操作部２８が設けられている。切断部支持部２７は、ターンテーブル２２の中心軸に対して突出部２４の反対位置に配置されている。切断部支持部２７には、図示せぬ溝部の延長線上に位置する傾動軸２７Ａと、切断部３が任意の傾斜角度で固定される傾動支持部２７Ｂとを有している。図３に示されるように、傾動支持部２７Ｂには、傾動軸２７Ａを中心とする半円弧状の長孔２７ａが形成されている。
【００２０】
図１に示されるように、ベース２１上であって、ターンテーブル２２の上方位置には、フェンス２３が設けられている。フェンス２３は、図２に示されるように、左ベース２１Ａ及び右ベース２１Ｂに対応して左フェンス２３Ａ及び右フェンス２３Ｂから構成されており、左フェンス２３Ａ及び右フェンス２３Ｂの前面は、同一平面状に位置するように配置されて、木材Ｗ（図１）の位置を規定している。
【００２１】
図１に示されるように、切断部３は、支持部４と切断本体部５とスライド部６とから主に構成されている。支持部４は、揺動支持部４１と、揺動部４２と、スライド支持部４３と、揺動軸部４４とから主に構成されている。
【００２２】
図３に示されるように、揺動支持部４１は、一対の腕部４１Ａ、４１Ａを備え、反腕部４１Ａ、４１Ａ側位置で傾動軸２７Ａによって傾動支持部２７Ｂに接続されている。揺動支持部４１の傾動支持部２７Ｂに形成された長孔２７ａと対向する箇所には、図示せぬネジ穴が形成されており、このネジ穴に長孔２７ａを貫通したクランプレバー４１Ｂが螺接合されている。クランプレバー４１Ｂを螺進させることにより、傾動支持部２７Ｂと揺動支持部４１とが互いに付勢されて傾動支持部２７Ｂに対して揺動支持部４１を傾動不能にすることができる。一対の腕部４１Ａ、４１Ａの間には揺動軸部４４が設けられている。揺動軸部４４は、一対の腕部４１Ａ、４１Ａのうち左側に位置する腕部４１Ａからその端部が突出しており、揺動軸部４４の突出した部分には、ストッパホルダ４５が揺動軸部４４の軸回りに回転可能に設けられている。
【００２３】
ストッパホルダ４５には、揺動軸部４４位置から見て切断部支持部２７側の一端部分に図４に示されるように、揺動軸部４４を中心とした円弧状の長孔４５ａが形成されている。長孔４５ａ内には固定ボルト４５Ａが挿入されており、固定ボルト４５Ａは揺動支持部４１に設けられたネジ穴に螺合可能となっている。よって固定ボルト４５Ａを螺進させることによりストッパホルダ４５と揺動支持部４１とが互いに付勢されてストッパホルダ４５が揺動支持部４１に固定され、ストッパホルダ４５が揺動軸部４４の中心軸回りに回転不能となる。
【００２４】
図３に示されるように、ストッパホルダ４５の反切断部支持部２７側となる他端部分には、左右方向に貫通する筒部４５Ｂが設けられている。筒部４５Ｂの左側端部には、筒部４５Ｂの半径方向に延びる溝４５ｂが形成されている。また筒部４５Ｂ内には左右方向に摺動可能なストッパピン４５Ｃが挿入されており、筒部４５Ｂとストッパピン４５Ｃとの間には、筒部４５Ｂに対してストッパピン４５Ｃを右側に向けて付勢するバネ４５Ｄが介在している。
【００２５】
図５及び図６に示されるようにストッパピン４５Ｃは、右側の端部に係合部４５Ｅを有しており、後述の揺動部４２に形成された凹部４２ｂと係合可能に構成されている。またストッパピン４５Ｃの反係合部４５Ｅ側には、ストッパピン４５Ｃの摺動方向と直交する方向に延びるピン４５Ｆが設けられており、このピン４５Ｆは筒部４５Ｂの溝４５ｂ内に挿入可能に構成されている。ストッパピン４５Ｃは、図５に示されるように、ピン４５Ｆが溝４５ｂ内に挿入されている場合のみ係合部４５Ｅが筒部４５Ｂの右側端部より突出して凹部４２ｂと係合可能である。切断刃５３において、ピン４５Ｆが溝４５ｂ内に挿入可能でありかつ切断刃５３が木材Ｗを切断可能な位置を切断位置と定義する。また図６に示されるようにピン４５Ｆが溝４５ｂ外にある場合には、係合部４５Ｅが筒部４５Ｂ内に配されて係合部４５Ｅが凹部４２ｂと係合することが抑制される。ピン４５Ｆが溝４５ｂ内に挿入不能でありかつ切断刃５３が木材Ｗを切断不能な位置を非切断位置と定義する。これらストッパホルダ４５、ストッパピン４５Ｃ、固定ボルト４５Ａを含んで保持機構が構成される。
【００２６】
図１に示されるように揺動部４２は、揺動軸部４４により軸支されて、揺動軸部４４の中心軸回りに揺動支持部４１に対して回転可能に構成されている。揺動部４２には、揺動軸部４４の半径方向と略平行な方向に延びて後述のスライド支持部４３の調整部４３Ａが挿入される調整溝４２ａが形成されている。揺動部４２の上方に位置する面には孔４２ｃが形成されていると共に、孔４２ｃ内に後述のネジ部４２Ｂが挿入される調整ノブ４２Ａが設けられている。調整ノブ４２Ａは先端にネジ部４２Ｂを有しており、このネジ部４２Ｂが孔４２ｃを貫通して調整溝４２ａ内に配置され、後述の調整部４３Ａと螺合可能になっている。揺動部４２の左側側面部分には、係合部４５Ｅが挿入されて係合可能な凹部４２ｂが形成されている。
【００２７】
揺動部４２と揺動支持部４１との間には、揺動軸部４４に巻回されたバネ４４Ａ（図３）が介在している。バネ４４Ａにより揺動部４２は、揺動軸部４４の上方で前側から後側に向かう方向に付勢されている。
【００２８】
スライド支持部４３は、スライド部６である後述の第一スライドパイプ６１及び第二スライドパイプ６２を固定して保持していると共に、反スライド部６側に揺動部４２と接続される調整部４３Ａを有している。調整部４３Ａは、調整溝４２ａ内に挿入されて調整溝４２ａの延長方向と平行に摺動可能に構成されている。また調整部４３Ａには、調整溝４２ａに挿入される位置に調整溝４２ａの延長方向と平行な方向に穿設されたネジ孔４３ａが形成されており、このネジ孔４３ａに調整ノブ４２Ａのネジ部４２Ｂが螺合している。よって調整ノブ４２Ａを回転させることにより、調整部４３Ａを含むスライド支持部４３は、調整溝４２ａの延長方向、即ち揺動軸部４４の半径方向と略平行な方向と平行に移動することが可能となっている。これら揺動部４２、調整部４３Ａ、及び調整ノブ４２Ａから切断刃５３の揺動とは無関係に切断刃５３とベース部２との間の距離を微調整可能な移動微調整部が構成されている。
【００２９】
スライド部６は、第一スライドパイプ６１と第二スライドパイプ６２とから主に構成されている。第一スライドパイプ６１と第二スライドパイプ６２とはそれぞれスライド支持部４３に後側の一端で固定されており、揺動軸部４４の軸方向と直交する方向を配列方向として略平行に配列されて前側に向けて延出されている。第二スライドパイプ６２は、第一スライドパイプ６１の下側に設けられており、第一スライドパイプと比べて大径かつ厚肉であり、熱処理が施されて高強度に構成されている。よって第二スライドパイプ６２を主に切断本体部５を支える支柱とし、第一スライドパイプ６１を切断本体部５のスライド部６に対する位置決めとすることができる。これにより、第一スライドパイプにおいては、その径等を小型化することができ、軽量化を図ることができる。
【００３０】
切断本体部５は、ハウジング５Ａを外殻として、胴部５１と、モータ５２と、切断刃５３と、切断刃カバー５４と、ハンドル５５とから主に構成されている。
【００３１】
胴部５１は、スライド部６に摺動可能に保持されており、胴部５１の上面であってスライド支持部４３側の位置には固定ネジ５１Ａが設けられている。図７に示されるように固定ネジ５１Ａは、螺進することにより先端が第一スライドパイプ６１と当接可能に構成されている。胴部５１において第一スライドパイプ６１の左右両側には、それぞれ圧接ブッシュ５１Ｂ、５１Ｂが第一スライドパイプ６１に当接して設けられており、第一スライドパイプ６１に対して胴部５１が摺動する方向と直交する方向において胴部５１に対する第一スライドパイプ６１の位置を規定している。また圧接ブッシュ５１Ｂ、５１Ｂには、それぞれネジ５１Ｃ、５１Ｃが当接しており、このネジ５１Ｃ、５１Ｃを螺進退することにより、圧接ブッシュ５１Ｂ、５１Ｂの第一スライドパイプ６１に対する圧力を調整している。
【００３２】
また胴部５１において、第二スライドパイプ６２を支持する箇所には、ボールブッシュ５１Ｄが設けられている。ボールブッシュ５１Ｄを介して胴部５１は第二スライドパイプ６２に支持されている。
【００３３】
切断刃５３とモータ５２とは、胴部５１の前側に、左右に並んで配置されており、モータ５２によって切断刃５３が回転駆動されている。よって図２に示されるように、切断刃５３とモータ５２との間に第一スライドパイプ６１及び第二スライドパイプ６２が配置される。また第一スライドパイプ６１及び第二スライドパイプ６２の配列方向が切断刃５３の側面と略平行になるように切断刃５３が配置されている。このような配置を採ることにより、スライド部６が切断部３本体の外殻から突出することが抑制され、卓上丸鋸１を小型化することができる。またモータ５２と切断刃５３とは互いに重量物であるため、その中間位置でスライド部６と接続することにより、切断本体部５の重量バランスを好適にすることができる。
【００３４】
ハンドル５５は、ハウジング５Ａにおいて、モータ５２の上部周辺に構成されており、切断刃５３を揺動する際の把持部となっている。ハンドル５５には、モータ５２の回転を制御するトリガ５５Ａが設けられている。
【００３５】
上記構成の卓上丸鋸１において木材Ｗを切断する場合には、先ずストッパホルダ４５において固定ボルト４５Ａを緩め、かつストッパピン４５Ｃの係合部４５Ｅを凹部４２ｂに係合させた状態で、スライド部６がベース２１の上面と略平行になるように切断部３を押し下げて切断刃５３を揺動させる。この状態で固定ボルト４５Ａを締め、ストッパホルダ４５の揺動支持部４１に対する位置を規定する。また規制操作部２８及びクランプレバー４１Ｂを操作して、木材Ｗの切断角度に合わせてターンテーブル２２の回動角度、切断部３の傾動角度を調整する。
【００３６】
その後に、固定ネジ５１Ａを緩めて切断本体部５がスライド部６に対してスライド可能な状態にして、ストッパピン４５Ｃを引き、係合部４５Ｅと凹部４２ｂとの係合を解き、かつピン４５Ｆが溝４５ｂ内に挿入された状態で切断部３を上方に揺動させ、図１示される様に切断刃５３をベース部２上に配置する。この状態で木材Ｗをベース部２上に載置し、図８に示されるように、切断本体部５を前方にスライドさせて、ベース部２に近接するように揺動し、木材Ｗを切断する。
【００３７】
図４に示されるように、切断部３が、スライド部６とベース部２の上面とが平行になる位置まで揺動された状態で、ストッパピン４５Ｃがバネ４５Ｄの付勢力により摺動して、係合部４５Ｅが凹部４２ｂ内に入り、切断刃５３が切断位置に配される。これにより切断部３は揺動不可となり、よって作業者がバネ４４Ａの付勢力に逆らってハンドル５５を押し下げていなくても、切断本体部５は揺動に係る方向において常に一定の位置に保たれる。故に、スライド部６とベース部２の上面とが平行になる所定の揺動角度で切断刃５３を固定することができる。固定された後は、切断刃５３が揺動することがないため、切断刃５３がスライドする方向のみハンドル５５に力を加えることにより木材Ｗを切断することができる。
【００３８】
スライド部６とベース部２の上面とが平行な状態で図９に示されるように切断本体部５を後方にスライドさせて、木材Ｗを切断する。切断し終わった後には、ストッパピン４５Ｃを引くことにより、係合部４５Ｅと凹部４２ｂとの係合が解かれて、切断刃５３は非切断位置である上方に向けて揺動することができる。
【００３９】
切断時において、切断本体部５のスライドにより切断することができる切断幅：Ｌは、図１０に示されるように、スライド量をｎ、切断刃５３の半径をｌ、切断刃５３の中心からベース部２の上面までの距離をｍ１とした場合に、
Ｌ１＝ｎ＋（ｌ２−ｍ１２）（１／２）×２
で与えられる。切断幅がＬ１の状態においては、木材Ｗの幅：ＨよりＬ１の方が小さいため木材Ｗを切断することができない。これに対して、スライド部６がベース部２上面と平行な状態で調整ノブ４２Ａを回転し、切断本体部５をベース部２に近接させて切断刃５３の中心からベース部２の上面までの距離をｍ２（ｍ１＞ｍ２）とした場合には、
Ｌ２＝ｎ＋（ｌ２−ｍ２２）（１／２）×２＞Ｈ＞Ｌ１となり、木材Ｗを好適に切断することができる。
【００４０】
故に切断刃５３をベース部２に近接させることにより、より幅の広い木材Ｗを切断することができる。逆に切断刃５３で切断することができる木材Ｗの厚さは、ベース部２表面から切断刃５３の中心までの距離で決まるため、切断刃５３をベース部２から離間させることにより、より厚い木材Ｗを切断することができる。また切断刃５３からベース部２までの距離を任意に変更することができるため、切断刃５３が小径な場合であっても厚い木材Ｗから幅広の木材Ｗまで好適に切断加工することができる。
【図面の簡単な説明】
【００４１】
【図１】本発明の実施の形態に係るスライド式卓上切断機の側面図（切断前状態）。
【図２】本発明の実施の形態に係るスライド式卓上切断機の正面部分断面図。
【図３】本発明の実施の形態に係るスライド式卓上切断機の揺動支持部周辺を表す部分背面図。
【図４】本発明の実施の形態に係るスライド式卓上切断機の側面図（切断位置状態）。
【図５】本発明の実施の形態に係るスライド式卓上切断機の揺動支持部周辺であって保持機構を表す部分背面図（係合状態）。
【図６】本発明の実施の形態に係るスライド式卓上切断機の揺動支持部周辺であって保持機構を表す部分背面図（非係合状態）。
【図７】図４におけるVII-VII線に沿った断面図。
【図８】本発明の実施の形態に係るスライド式卓上切断機の側面図（切断本体部を切断位置からスライドする状態）。
【図９】本発明の実施の形態に係るスライド式卓上切断機の側面図（切断位置から非切断位置に移動した状態）。
【図１０】本発明の実施の形態に係るスライド式卓上切断機の微調整機構による切断刃とベースとの関係を示す概念図。
【符号の説明】
【００４２】
１・・卓上丸鋸  ２・・ベース部  ３・・切断部  ４・・支持部  ５・・切断本体部
５Ａ・・ハウジング  ６・・スライド部  ２１・・ベース  ２１Ａ・・左ベース
２１Ｂ・・右ベース  ２２・・ターンテーブル  ２２Ａ・・ターンテーブル本体部
２３・・フェンス  ２３Ａ・・左フェンス  ２３Ｂ・・右フェンス  ２４・・突出部
２７・・切断部支持部  ２７Ａ・・傾動軸  ２７Ｂ・・傾動支持部  ２７ａ・・長孔
２８・・規制操作部  ４１Ｂ・・クランプレバー  ４１・・揺動支持部  ４１Ａ・・腕部
４２・・揺動部  ４２Ａ・・調整ノブ  ４２Ｂ・・ネジ部  ４２ａ・・調整溝
４２ｂ・・凹部  ４２ｃ・・孔  ４３・・スライド支持部  ４３Ａ・・調整部
４３ａ・・ネジ孔  ４４・・揺動軸部  ４４Ａ・・バネ  ４５・・ストッパホルダ
４５Ａ・・固定ボルト  ４５Ｂ・・筒部  ４５Ｃ・・ストッパピン  ４５Ｄ・・バネ
４５Ｅ・・係合部  ４５Ｆ・・ピン  ４５ｂ・・溝  ４５ａ・・長孔  ５１・・胴部
５１Ａ・・固定ネジ  ５１Ｂ・・圧接ブッシュ  ５１Ｃ・・ネジ
５１Ｄ・・ボールブッシュ  ５２・・モータ  ５３・・切断刃  ５４・・切断刃カバー
５５Ａ・・トリガ  ５５・・ハンドル  ６１・・第一スライドパイプ
６２・・第二スライドパイプ
【図１】
2008100356.tif 000003
【図２】
2008100356.tif 000004
【図３】
2008100356.tif 000005
【図４】
2008100356.tif 000006
【図５】
2008100356.tif 000007
【図６】
2008100356.tif 000008
【図７】
2008100356.tif 000009
【図８】
2008100356.tif 000010
【図９】
2008100356.tif 000011
【図１０】
2008100356.tif 000012